【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
ネットワーク内でワイヤレス通信装置によってワイヤレス媒体を介して通信する方法であって、
前記ワイヤレス通信装置によって、ワイヤレス通信のためのコンテンションウインドウを利用することと、前記コンテンションウインドウは、前記ワイヤレス媒体へのアクセスを延期するための延期期間を決定するために提供される１つまたは複数のタイムスロットを備える、
前記ワイヤレス通信装置によって、前記ネットワークの負荷と関連付けられた衝突確率を推定することと、前記衝突確率は、アイドルである前記１つまたは複数のタイムスロットの数に少なくとも部分的に基づいて推定される、
前記ワイヤレス通信装置によって、前記推定された衝突確率に少なくとも基づいて、フレームの成功した送信に応答して、前記コンテンションウインドウのサイズを調節することと、前記調節は、前記１つまたは複数のタイムスロットの前記数が下限閾値を下回る場合、前記コンテンションウインドウの前記サイズを増加させることと、前記１つまたは複数のタイムスロットの前記数が上限閾値を上回る場合、前記コンテンションウインドウの前記サイズを減少させることとを備える、
前記ワイヤレス通信装置によって、前記コンテンションウインドウの前記サイズを示す情報を、前記ネットワーク内で動作する１つまたは複数のワイヤレスデバイスに送信することと
を備える方法。
【請求項２】
前記コンテンションウインドウの前記サイズを最小サイズに設定することと、
線形的な機能に従って前記コンテンションウインドウの前記サイズを減少させることと、
指数関数的な機能に従って前記コンテンションウインドウの前記サイズを減少させることと、
第１の値を減算することによって、前記コンテンションウインドウの前記サイズを減少させることと、
第２の値を乗算することによって、前記コンテンションウインドウの前記サイズをスケーリングすることと
のうちの少なくとも１つをさらに備える、請求項１に記載の方法。
【請求項３】
前記最小サイズを、前記ネットワーク内で動作するワイヤレスデバイスの数に比例する値に調節することと、前記調節された最小サイズのインジケーションを、前記１つまたは複数のワイヤレスデバイスに送信することと、
をさらに備える、請求項２に記載の方法。
【請求項４】
前記ネットワークで動作するアクティブなワイヤレスデバイスの数が閾値を上回るかどうかを決定することと、
前記推定された衝突確率が上限衝突閾値を上回るかどうかを決定することと、
前記推定された衝突確率が下限衝突閾値を下回るかどうかを決定することと、
前記１つまたは複数のタイムスロットの検出された復号不可能なビジースロットの数がビジースロット閾値を上回るかどうかを決定することと、
をさらに備える、請求項１に記載の方法。
【請求項５】
前記推定された衝突確率が閾値を上回るかどうかを決定することと、
前記推定された衝突確率が前記閾値を上回る場合、前記コンテンションウインドウの前記サイズを最小サイズに減少させることと、
をさらに備える、請求項１に記載の方法。
【請求項６】
前記コンテンションウインドウの前記サイズを示す前記情報を送信することは、ビーコンメッセージと、特定のデバイスに送られるユニキャストメッセージと、プローブ応答と、のうちの少なくとも１つで前記情報を送信することを備える、請求項１に記載の方法。
【請求項７】
前記ネットワーク内で動作するアクティブなワイヤレスデバイスの数に比例する前記コンテンションウインドウの最大サイズを決定することと、
前記最大サイズを前記１つまたは複数のワイヤレスデバイスに送信することと、
をさらに備える、請求項１に記載の方法。
【請求項８】
情報を、前記１つまたは複数のワイヤレスデバイスから受信することをさらに備え、前記衝突確率を推定することは、前記受信された情報に少なくとも部分的に基づいて前記衝突確率を推定することを備える、請求項１に記載の方法。
【請求項９】
ネットワーク内でワイヤレス媒体を介して通信するためのワイヤレス通信装置であって、
ワイヤレス通信のためのコンテンションウインドウを利用することと、前記コンテンションウインドウは、前記ワイヤレス媒体へのアクセスを延期するための延期期間を決定するために提供される１つまたは複数のタイムスロットを備える、
前記ネットワークの負荷と関連付けられた衝突確率を推定することと、前記衝突確率は、アイドルである前記１つまたは複数のタイムスロットの数に少なくとも部分的に基づいて推定される、
前記推定された衝突確率に少なくとも基づいて、フレームの成功した送信に応答して、前記コンテンションウインドウのサイズを調節することと、前記調節は、前記１つまたは複数のタイムスロットの前記数が下限閾値を下回る場合、前記コンテンションウインドウの前記サイズを増加させることと、前記１つまたは複数のタイムスロットの前記数が上限閾値を上回る場合、前記コンテンションウインドウの前記サイズを減少させることとを備える、
を行うように構成されたプロセッサと、
前記コンテンションウインドウの前記サイズを示す情報を、前記ネットワーク内で動作する１つまたは複数のワイヤレスデバイスに送信するように構成された送信機と
を備える装置。
【請求項１０】
前記プロセッサは、
前記コンテンションウインドウの前記サイズを最小サイズに設定することと、
線形的な機能に従って前記コンテンションウインドウの前記サイズを減少させることと、
指数関数的な機能に従って前記コンテンションウインドウの前記サイズを減少させることと、
第１の値を減算することによって、前記コンテンションウインドウの前記サイズを減少させることと、
第２の値を乗算することによって、前記コンテンションウインドウの前記サイズをスケーリングすることと
のうちの少なくとも１つを実行するようにさらに構成される、請求項９に記載の装置。
【請求項１１】
前記プロセッサは、前記最小サイズを、前記ネットワーク内で動作するワイヤレスデバイスの数に比例する値に調節するようにさらに構成され、前記送信機は、前記調節された最小サイズのインジケーションを、前記１つまたは複数のワイヤレスデバイスに送信するようにさらに構成される、請求項１０に記載の装置。
【請求項１２】
前記プロセッサは、
前記ネットワークで動作するワイヤレスデバイスの数が閾値を上回るかどうかを決定し、
前記推定された衝突確率が上限衝突閾値を上回るかどうかを決定し、
推定された衝突確率が下限衝突閾値を下回るかどうかを決定し、
前記１つまたは複数のタイムスロットの検出された復号不可能なビジースロットの数がビジースロット閾値を上回るかどうかを決定する、
ようにさらに構成される請求項９に記載の装置。
【請求項１３】
前記プロセッサは、前記推定された衝突確率が閾値を上回るかどうかを決定し、前記推定された衝突確率が前記閾値を上回る場合、前記コンテンションウインドウの前記サイズを最小サイズに減少させるようにさらに構成される、請求項９に記載の装置。
【請求項１４】
前記プロセッサは、前記ネットワーク内で動作するワイヤレスデバイスの数に比例する前記コンテンションウインドウの最大サイズを決定するようにさらに構成され、前記送信機は、前記最大サイズを前記１つまたは複数のワイヤレスデバイスに送信するようにさらに構成される、請求項９に記載の装置。
【請求項１５】
情報を、前記１つまたは複数のワイヤレスデバイスから受信するように構成された受信機をさらに備え、前記プロセッサは、前記受信された情報に少なくとも部分的に基づいて前記衝突確率を推定するようにさらに構成される、請求項９に記載の装置。
【請求項１６】
ネットワーク内でワイヤレス通信装置によってワイヤレス媒体を介して通信する方法であって、
前記ワイヤレス通信装置によって、ワイヤレス通信のためのコンテンションウインドウを利用することと、前記コンテンションウインドウは、前記ワイヤレス媒体へのアクセスを延期するための延期期間を決定するために提供される１つまたは複数のタイムスロットを備える、
前記ワイヤレス通信装置によって、前記ネットワークの負荷と関連付けられた衝突確率を推定することと、前記衝突確率は、アイドルである前記１つまたは複数のタイムスロットの数に少なくとも部分的に基づいて推定される、
前記ワイヤレス通信装置によって、前記推定された衝突確率に少なくとも基づいて、フレームの成功した送信に応答して、前記コンテンションウインドウのサイズを調節することと、前記調節は、前記ネットワーク上の他のワイヤレスデバイスに関するコンテンションウインドウのサイズとは独立してなされ、前記調節は、前記１つまたは複数のタイムスロットの前記数が下限閾値を下回る場合、前記コンテンションウインドウの前記サイズを増加させることと、前記１つまたは複数のタイムスロットの前記数が上限閾値を上回る場合、前記コンテンションウインドウの前記サイズを減少させることとを備える、
前記ワイヤレス通信装置によって、前記コンテンションウインドウの前記調節されたサイズに基づいて前記延期期間を決定することと、
を備える方法。
【請求項１７】
前記コンテンションウインドウの前記サイズを最小サイズに設定することと、
線形的な機能に従って前記コンテンションウインドウの前記サイズを減少させることと、
指数関数的な機能に従って前記コンテンションウインドウの前記サイズを減少させることと、
第１の値を減算することによって、前記コンテンションウインドウの前記サイズを減少させることと、
第２の値を乗算することによって、前記コンテンションウインドウの前記サイズをスケーリングすることと
のうちの少なくとも１つをさらに備える、請求項１６に記載の方法。
【請求項１８】
情報を、前記１つまたは複数のワイヤレスデバイスから受信することをさらに備え、前記衝突確率を推定することは、前記受信された情報に少なくとも部分的に基づいて前記衝突確率を推定することを備える、請求項１６に記載の方法。
【請求項１９】
前記推定された衝突確率が閾値を上回るかどうかを決定することと、
前記推定された衝突確率が前記閾値を上回る場合、前記コンテンションウインドウの前記サイズを最小サイズに減少させることと、
をさらに備える、請求項１６に記載の方法。
【請求項２０】
ネットワーク内でワイヤレス媒体を介して通信するためのワイヤレス通信装置であって、
ワイヤレス通信のためのコンテンションウインドウを利用することと、前記コンテンションウインドウは、前記ワイヤレス媒体へのアクセスを延期するための延期期間を決定するために提供される１つまたは複数のタイムスロットを備える、
前記ネットワークの負荷と関連付けられた衝突確率を推定することと、前記衝突確率は、アイドルである前記１つまたは複数のタイムスロットの数に少なくとも部分的に基づいて推定される、
前記推定された衝突確率に少なくとも基づいて、フレームの成功した送信に応答して、前記コンテンションウインドウのサイズを調節することと、前記調節は、前記ネットワーク上の他のワイヤレスデバイスに関するコンテンションウインドウのサイズとは独立してなされ、前記調節は、前記１つまたは複数のタイムスロットの前記数が下限閾値を下回る場合、前記コンテンションウインドウの前記サイズを増加させることと、前記１つまたは複数のタイムスロットの前記数が上限閾値を上回る場合、前記コンテンションウインドウの前記サイズを減少させることとを備える、
前記コンテンションウインドウの前記調節されたサイズに基づいて前記延期期間を決定することと
を行うように構成されたプロセッサと、
前記延期期間を記憶するように構成されたメモリと
を備える、装置。
【請求項２１】
前記プロセッサは、
前記コンテンションウインドウの前記サイズを最小サイズに設定することと、
線形的な機能に従って前記コンテンションウインドウの前記サイズを減少させることと、
指数関数的な機能に従って前記コンテンションウインドウの前記サイズを減少させることと、
第１の値を減算することによって、前記コンテンションウインドウの前記サイズを減少させることと、
第２の値を乗算することによって、前記コンテンションウインドウの前記サイズをスケーリングすることと
のうちの少なくとも１つを実行するようにさらに構成される、請求項２０に記載の装置。
【請求項２２】
情報を、前記１つまたは複数のワイヤレスデバイスから受信するように構成された受信機をさらに備え、前記衝突確率を推定することは、前記受信された情報に少なくとも部分的に基づいて前記衝突確率を推定することを備える、請求項２０に記載の装置。
【請求項２３】
前記プロセッサは、前記推定された衝突確率が閾値を上回るかどうかを決定し、前記推定された衝突確率が前記閾値を上回る場合、前記コンテンションウインドウの前記サイズを最小サイズに減少させるようにさらに構成される、請求項２０に記載の装置。
【手続補正２】
【補正対象書類名】明細書
【補正対象項目名】００９３
【補正方法】変更
【補正の内容】
【００９３】
[00105]前述したことが本開示の態様に向けられるとともに、本開示の他の態様およびさらなる態様が、その基本的な範囲から逸脱せずに考案され得、その範囲は以下に続く特許請求の範囲によって決定される。
以下に、本願出願の当初の特許請求の範囲に記載された発明を付記する。
［Ｃ１］
ネットワーク内でワイヤレス通信装置によってワイヤレス媒体を介して通信する方法であって、
前記ネットワークの負荷と関連付けられた動作特性を検出することと、
前記検出された動作特性に基づいて、フレームの成功した送信に応答して、コンテンションウインドウのサイズを調節するための処理を決定することと、前記コンテンションウインドウは、前記ワイヤレス媒体へのアクセスを延期するための延期期間を決定するために提供される、
前記処理を示す情報を、前記ネットワーク内で動作する１つまたは複数のワイヤレスデバイスに送信することと
を備える方法。
［Ｃ２］
前記処理は、
前記コンテンションウインドウの前記サイズを最小サイズに設定することと、
第１の値を減算することによって、前記コンテンションウインドウの前記サイズを減少させることと、
第２の値を乗算することによって、前記コンテンションウインドウの前記サイズをスケーリングすることとのうちの少なくとも１つを備える、Ｃ１に記載の方法。
［Ｃ３］
前記最小サイズを、前記ネットワーク内で動作するアクティブなワイヤレスデバイスの有効な数に比例する値に調節することと、前記調節された最小サイズを、前記１つまたは複数のワイヤレスデバイスに送信することと、をさらに備える、Ｃ２に記載の方法。
［Ｃ４］
前記処理は、前記コンテンションウインドウの前記サイズの線形的な減少と、前記コンテンションウインドウの前記サイズの指数関数的な減少と、前記コンテンションウインドウの前記サイズを所定の最小サイズに設定することと、のうちの少なくとも１つに対応する、Ｃ１に記載の方法。
［Ｃ５］
前記動作特性は、閾値を上回る、前記ネットワークで動作するアクティブなワイヤレスデバイスの有効な数と、下限閾値を下回る、検出されたアイドルスロットの数と、上限閾値を上回る、検出されたアイドルスロットの数と、上限衝突閾値を上回る、推定された衝突確率と、下限衝突閾値を下回る、推定された衝突確率と、閾値を上回る、検出された復号不可能なビジースロットの数と、のうちの少なくとも１つを備える、Ｃ１に記載の方法。
［Ｃ６］
前記動作特性は、閾値を上回る、前記ネットワークで動作するアクティブなワイヤレスデバイスの有効な数を備え、前記処理は、第１の値によって前記コンテンションウインドウの前記サイズを減少させることを備える、Ｃ１に記載の方法。
［Ｃ７］
前記処理を示す前記情報を送信することは、ビーコンメッセージと、特定のデバイスに送られるユニキャストメッセージと、プローブ応答と、のうちの少なくとも１つで前記情報を送信することを備える、Ｃ１に記載の方法。
［Ｃ８］
ネットワーク内で動作するアクティブなワイヤレスデバイスの有効な数に比例する前記コンテンションウインドウの最大サイズを決定することと、前記最大サイズを前記１つまたは複数のワイヤレスデバイスに送信することと、をさらに備える、Ｃ１に記載の方法。
［Ｃ９］
前記ネットワークの前記負荷と関連付けられた前記動作特性を示す情報を前記１つまたは複数のワイヤレスデバイスから受信することをさらに備える、Ｃ１に記載の方法。
［Ｃ１０］
ネットワーク内でワイヤレス媒体を介して通信するためのワイヤレス通信装置であって、
前記ネットワークの負荷と関連付けられた動作特性を検出し、
前記検出された動作特性に基づいて、フレームの成功した送信に応答して、コンテンションウインドウのサイズを調節するための処理を決定し、前記コンテンションウインドウは、前記ワイヤレス媒体へのアクセスを延期するための延期期間を決定するために提供される、
ように構成されたプロセッサと、
前記処理を示す情報を、前記ネットワーク内で動作する１つまたは複数のワイヤレスデバイスに送信するように構成された送信機と
を備える装置。
［Ｃ１１］
前記処理は、
前記コンテンションウインドウの前記サイズを最小サイズに設定することと、
第１の値を減算することによって、前記コンテンションウインドウの前記サイズを減少させることと、
第２の値を乗算することによって、前記コンテンションウインドウの前記サイズをスケーリングすることとのうちの少なくとも１つを備える、Ｃ１０に記載の装置。
［Ｃ１２］
前記プロセッサは、前記最小サイズの前記サイズを、前記ネットワーク内で動作するアクティブなワイヤレスデバイスの有効な数に比例する値に調節するようにさらに構成され、前記送信機は、前記調節された最小サイズを、前記１つまたは複数のワイヤレスデバイスに送信するようにさらに構成される、Ｃ１１に記載の装置。
［Ｃ１３］
前記処理は、前記コンテンションウインドウの前記サイズの線形的な減少と、前記コンテンションウインドウの前記サイズの指数関数的な減少と、前記コンテンションウインドウの前記サイズを所定の最小サイズに設定することと、のうちの少なくとも１つに対応する、Ｃ１０に記載の装置。
［Ｃ１４］
前記動作特性は、閾値を上回る、前記ネットワークで動作するアクティブなワイヤレスデバイスの有効な数と、上限閾値を上回る、検出されたアイドルスロットの数と、下限閾値を下回る、検出されたアイドルスロットの数と、上限衝突閾値を上回る、推定された衝突確率と、下限衝突閾値を下回る、推定された衝突確率と、閾値を上回る、検出された復号不可能なビジースロットの数と、のうちの少なくとも１つを備える、Ｃ１０に記載の装置。
［Ｃ１５］
前記動作特性は、閾値を上回る、前記ネットワークで動作するアクティブなワイヤレスデバイスの有効な数を備え、前記処理は、第１の値によって前記コンテンションウインドウの前記サイズを減少させることを備える、Ｃ１０に記載の装置。
［Ｃ１６］
前記プロセッサは、ネットワーク内で動作するアクティブなワイヤレスデバイスの有効な数に比例する前記コンテンションウインドウの最大サイズを決定するようにさらに構成され、前記送信機は、前記最大サイズを前記１つまたは複数のワイヤレスデバイスに送信するように構成される、Ｃ１０に記載の装置。
［Ｃ１７］
前記ネットワークの前記負荷を示す情報を、前記１つまたは複数のワイヤレスデバイスから受信するように構成された受信機をさらに備える、Ｃ１０に記載の装置。
［Ｃ１８］
ネットワーク内でワイヤレス通信装置によってワイヤレス媒体を介して通信する方法であって、
前記ネットワークの負荷と関連付けられた動作特性を検出することと、
前記検出された動作特性に基づいて、フレームの成功した送信に応答して、コンテンションウインドウのサイズを調節するための処理を決定することと、前記コンテンションウインドウは、前記ワイヤレス媒体へのアクセスを延期するための延期期間を決定するために提供される、
前記コンテンションウインドウの前記サイズを調節することと、前記調節は前記決定に少なくとも部分的に基づき、前記調節は前記ネットワーク上の他のワイヤレスデバイスに関するコンテンションウインドウのサイズとは独立してなされる、を備える方法。
［Ｃ１９］
前記処理は、
前記コンテンションウインドウの前記サイズを最小サイズに設定することと、
第１の値を減算することによって、前記コンテンションウインドウの前記サイズを減少させることと、
第２の値を乗算することによって、前記コンテンションウインドウの前記サイズをスケーリングすることとのうちの少なくとも１つを備える、Ｃ１８に記載の方法。
［Ｃ２０］
前記ネットワークの前記負荷と関連付けられた前記動作特性を示す情報を、前記１つまたは複数のワイヤレスデバイスから受信することをさらに備える、Ｃ１８に記載の方法。
［Ｃ２１］
前記動作特性は、閾値を上回る、前記ネットワークで動作するアクティブなワイヤレスデバイスの有効な数を備え、前記処理は、第１の値によって前記コンテンションウインドウの前記サイズを減少させることを備える、Ｃ１８に記載の方法。
［Ｃ２２］
前記処理は、前記コンテンションウインドウの前記サイズの線形的な減少と、前記コンテンションウインドウの前記サイズの指数関数的な減少と、前記コンテンションウインドウの前記サイズを所定の最小サイズに設定することと、のうちの少なくとも１つに対応する、Ｃ１８に記載の方法。
［Ｃ２３］
ネットワーク内でワイヤレス媒体を介して通信するためのワイヤレス通信装置であって、
前記ネットワークの負荷と関連付けられた動作特性を検出し、
前記検出された動作特性に基づいて、フレームの成功した送信に応答して、コンテンションウインドウのサイズを調節するための処理を決定し、前記コンテンションウインドウは、前記ワイヤレス媒体へのアクセスを延期するための延期期間を決定するために提供される
ように構成されたプロセッサと、
前記処理を示す情報を、前記ネットワーク内で動作する１つまたは複数のワイヤレスデバイスに送信するように構成された送信機と
を備える、装置。
［Ｃ２４］
前記処理は、
前記コンテンションウインドウの前記サイズを最小サイズに設定することと、
第１の値を減算することによって、前記コンテンションウインドウの前記サイズを減少させることと、
第２の値を乗算することによって、前記コンテンションウインドウの前記サイズをスケーリングすることとのうちの少なくとも１つを備える、Ｃ２３に記載の装置。
［Ｃ２５］
前記ネットワークの前記負荷と関連付けられた前記動作特性を示す情報を、前記１つまたは複数のワイヤレスデバイスから受信するように構成された受信機をさらに備える、Ｃ２３に記載の装置。
［Ｃ２６］
前記動作特性は、閾値を上回る、前記ネットワークで動作するアクティブなワイヤレスデバイスの有効な数を備え、前記処理は、第１の値によって前記コンテンションウインドウの前記サイズを減少させることを備える、Ｃ２３に記載の装置。
［Ｃ２７］
前記処理は、前記コンテンションウインドウの前記サイズの線形的な減少と、前記コンテンションウインドウの前記サイズの指数関数的な減少と、前記コンテンションウインドウの前記サイズを所定の最小サイズに設定することと、のうちの少なくとも１つに対応する、Ｃ２３に記載の装置。